(57)【要約】【課題】ヘッダー配設のための所要スペースを小スペース化することを目的とする。【解決手段】ヘッダー１０を、複数の分岐口２６，２８を備えたヘッダー本体１２を有するものとなして、これを固定具１８により取付基体としての床１６との間にスペースを形成する状態で床１６に固定する。そして元配管１４を通じて供給された水又は湯を分岐口２６，２８に継手３０，３２を介して接続した複数の分岐配管に分岐させる。その継手３０，３２はエルボ継手となし、そして一方のエルボ継手３０を床１６側に開口させた分岐口２６に回転可能に接続する。【選択図】        図１
2006083967.tif 000002
【特許請求の範囲】
【請求項１】
複数の分岐口を備えたヘッダー本体を有し、該ヘッダー本体が固定具により床等の取付基体との間にスペースを形成する状態で該取付基体に固定され、元配管を通じて供給された水又は湯を該分岐口に継手を介して接続された複数の分岐配管に分岐させるヘッダーであって、
前記継手がエルボ継手をなしていて、前記取付基体側に開口している前記分岐口に該エルボ継手が回転可能に接続されていることを特徴とするヘッダー。
【請求項２】
請求項１において、前記取付基体側の分岐口と対向する位置に分岐口を開口させ、該分岐口にもエルボ継手が回転可能に接続されていることを特徴とするヘッダー。
【発明の詳細な説明】
【技術分野】
【０００１】
この発明は、共通の元配管を通じて供給されて来た水や湯を複数の分岐配管に分岐させ、建物内のトイレや浴室，キッチン等の給水設備に供給するためのヘッダーに関する。
【背景技術】
【０００２】
従来より、共通の元配管を通じて供給されて来た水や湯を複数の分岐配管に分岐させるためのものとして、複数の分岐口を備えたヘッダーが用いられている。
このようなヘッダーを元配管に接続しておけば、かかるヘッダーの各分岐口に複数の分岐配管を接続しておくだけで、それら分岐配管を通じて元配管からの水や湯を建物内のトイレや浴室，キッチン等の給水設備に導くことができる。
ここでヘッダーは複数の分岐口を備えたヘッダー本体を有していて、そのヘッダー本体が固定具により床等の取付基体に、その取付基体との間にスペースを形成する状態で固定され、また複数の分岐口のそれぞれには継手が接続されて、複数の分岐配管がそれら分岐口に対し継手を介して接続される。
【０００３】
例えば下記特許文献１に、この種のヘッダーの一例が開示されている。
図３はその具体例を示している。
同図において２００はヘッダーで、２０２はその主体を成すヘッダー本体、２０４はヘッダー本体２０２を床等の取付基体に固定する固定具である。
２０６はヘッダー本体２０２に複数設けられた分岐口で、２０８はヘッダー２００から分岐して延び出す分岐配管であり、これら分岐配管２０８が、各分岐口２０６に対して継手具２１０にて接続されている。
尚、２１２は分岐配管２０８の端部に装着された止水栓内蔵の継手で、この継手２１２に対して浴室の水栓等から延び出した配管が接続される。
【０００４】
ところでこのようなヘッダー２００では、分岐配管２０８の数が多くなると分岐口２０６の数が多くなってヘッダー本体２０２の長さも長くなり、これに伴ってそれら分岐口２０６及びヘッダー本体２０２、即ちヘッダー２００の占有スペースが大きくなってしまうといった問題が内在する。
【０００５】
【特許文献１】特開２００４−１３８２０５号公報
【発明の開示】
【発明が解決しようとする課題】
【０００６】
本発明はこのような事情を背景とし、ヘッダーの占めるスペースを小スペース化することを目的としてなされたものである。
【課題を解決するための手段】
【０００７】
而して請求項１のヘッダーは、複数の分岐口を備えたヘッダー本体を有し、該ヘッダー本体が固定具により床等の取付基体との間にスペースを形成する状態で該取付基体に固定され、元配管を通じて供給された水又は湯を該分岐口に継手を介して接続された複数の分岐配管に分岐させるヘッダーであって、前記継手がエルボ継手をなしていて、前記取付基体側に開口している前記分岐口に該エルボ継手が回転可能に接続されていることを特徴とする。
【０００８】
請求項２のものは、請求項１において、前記取付基体側の分岐口と対向する位置に分岐口を開口させ、該分岐口にもエルボ継手が回転可能に接続されていることを特徴とする。
【発明の作用・効果】
【０００９】
以上のように本発明は、ヘッダーにおける継手をエルボ継手となして、これを床等の取付基体側に開口している分岐口に回転可能に接続したものである。
かかる本発明では、ヘッダー本体と床等の取付基体との間のスペース、即ち従来デッドスペースとなっていた部分をエルボ継手の取付用スペースとして、またエルボ継手の回転のためのスペースとして有効に利用でき、これによりヘッダー配設のための所要スペースを小スペース化することができる。
【００１０】
また本発明では継手をエルボ継手となして、これをヘッダー本体の分岐口に回転可能に接続していることから、分岐配管の取回しが容易となり、分岐配管を目的とする方向に延出させる（配管する）に際して、分岐配管を大きな曲げ半径で曲げなくても良く、エルボ継手の回転によってヘッダーと給水設備とを最短距離で分岐配管にて連絡することができる。
従って必要な分岐配管の長さも効果的に短くすることができる。
【００１１】
次に請求項２は、取付基体側の分岐口と対向する位置に分岐口を開口させ、その分岐口にもエルボ継手を回転可能に接続したものである。
この請求項２によれば、分岐配管の数が多くなった場合であってもヘッダー本体の所要長さを短くすることができ、複数の分岐口及びヘッダー本体が占めるスペース、特に長手方向のスペースを更に小スペース化することができる。
またエルボ継手が互いに反対側に且つ回転可能に設けられているため、それぞれのエルボ継手を介して各分岐口に接続された分岐配管同士が干渉を生ずるのを良好に回避して、各分岐配管を容易且つ良好に取回しすることができる。
【発明を実施するための最良の形態】
【００１２】
次に本発明の実施形態を図面に基づいて詳しく説明する。
図１において１０は本実施形態のヘッダーで、ヘッダー本体１２を有している。
本実施形態において、ヘッダー本体１２は図中左右方向に一体の構造をなすもので、その一端（図中左端）が閉鎖され、また他端（図中右端）が接続具を介して大元の給水用又は給湯用の元配管１４に接続されている。
【００１３】
１８はヘッダー本体１２を取付基体としての床１６に固定するための固定具で、リング状の保持部２０と、脚部２２と、固定部２４とを有しており、その固定部２４において床１６に固定されている。
この固定具１８による固定によりヘッダー本体１２と床１６との間にはスペースが形成されている。このスペースは従来デッドスペースとなっていた。
【００１４】
このヘッダー本体１２には図中左右方向、即ちヘッダー本体１２の長手方向に、所定間隔で分岐口２６が図中下向きに突出する形態で設けられている。即ち分岐口２６が取付基体としての床１６側に開口する形態で設けられている。
また各下向きの分岐口２６に対応する位置において、詳しくは各分岐口２６と同じ左右方向位置において、対応する上向きの分岐口２８がヘッダー本体１２から突出する形態で設けられている。
【００１５】
各分岐口２６のそれぞれには、Ｌ字状をなす第１のエルボ継手３０が回転可能に接続されている。
即ちヘッダー本体１２に対し、第１のエルボ継手３０が固定具１８による固定側において、床１６に対して垂直な縦の軸心周りに水平方向に回転可能に接続されている。
【００１６】
一方各分岐口２６と同じ軸方向（左右方向）位置において上向きに突出した別の分岐口２８のそれぞれには、第２のエルボ継手３２が第１のエルボ継手３０のそれぞれに上下に対向して回転可能に接続されている。
これら第２のエルボ継手３２もまた、床１６に対して垂直な縦の軸心周りに水平方向に回転可能にヘッダー本体１２に接続されている。
【００１７】
図２は第１，第２のエルボ継手３０，３２と分岐口２６，２８との接続構造を示している。
図示のようにここでは第１，第２のエルボ継手３０，３２に嵌入部３４とフランジ部３６とが設けられ、また一方分岐口２６，２８の側には対応するフランジ部３６が設けられていて、嵌入部３４が分岐口２６，２８内に嵌入し、そして一対のフランジ部３６，３６が重合した状態で、それらが弾性クリップ３８により抜止状態に且つ回転可能にクランプされている。
ここで弾性クリップ３８は係入溝４０を有しており、その係入溝４０に一対のフランジ部３６，３６を互いに重ね合せ状態で係入させることによって、第１，第２のエルボ継手３０，３２を分岐口２６，２８に対して抜止状態にクランプしている。
【００１８】
以上のような本実施形態のヘッダー１０によれば、ヘッダー本体１２と取付基体としての床１６との間のスペース、即ち従来デッドスペースとなっていた部分を、第１のエルボ継手３０の取付用スペースとして、更にはその回転のためのスペースとして有効に利用していることから、ヘッダー１０の配設のための所要スペースを小スペース化することができる。
【００１９】
また本実施形態では分岐配管の接続のための継手をエルボ継手３０，３２となして、これをヘッダー本体１２の分岐口２６，２８に回転可能に接続していることから、各分岐配管の取回しが容易となり、分岐配管を目的とする方向に延出させる（配管する）に際して、分岐配管を大きな曲げ半径で曲げなくても良く、第１，第２のエルボ継手３０，３２の回転によってヘッダー１０と給水設備とを最短距離で分岐配管にて連絡することができる。
従って必要な分岐配管の長さも効果的に短くすることができる。
【００２０】
また固定具１８による固定側に第１のエルボ継手３０を、固定具１８による固定側とは反対側に第２のエルボ継手３２を、ヘッダー本体１２の分岐口２６，２８にそれぞれ回転可能に接続しているため、分岐配管の数が多くなった場合であってもヘッダー本体１２の所要長さを短くすることができ、複数の分岐口２６，２８及びヘッダー本体１２が占めるスペース、特に長手方向のスペースを小スペース化することができる。
また第１のエルボ継手３０と第２のエルボ継手３２とは対向して、即ちそれぞれが互いに反対側に設けられており、且つそれぞれが回転可能であるため、第１のエルボ継手３０，第２のエルボ継手３２を介して各分岐口２６，２８に接続された分岐配管同士が干渉を生ずるのを良好に回避し得て、各分岐配管を容易且つ良好に取回しすることができる。
【００２１】
以上本発明の実施形態を詳述したがこれはあくまで一例示であり、本発明は例えばヘッダーを固定具にて壁に固定する場合においても適用可能であるなど、本発明はその趣旨を逸脱しない範囲において種々変更を加えた形態で構成可能である。
【図面の簡単な説明】
【００２２】
【図１】本発明の一実施形態のヘッダーを示す図である。
【図２】図１の要部を示す図である。
【図３】従来のヘッダーの一例を示す図である。
【符号の説明】
【００２３】
１０  ヘッダー
１２  ヘッダー本体
１４  元配管
１６  床（取付基体）
１８  固定具
２６，２８  分岐口
３０  第１のエルボ継手
３２  第２のエルボ継手
【図１】
2006083967.tif 000003
【図２】
2006083967.tif 000004
【図３】
2006083967.tif 000005